(57)【要約】【課題】板状仕上げ材を、下地側に対し、適切に、格別な造作を不要とした態様で、さらに、張り替えを容易に行える態様で、張り込み可能とする。【解決手段】裏面１’に長さ方向ｙに沿った溝１ａを左右両側に備えてなる板状仕上げ材１と、スペーサー３を介在させて下地５側に止着されると共に左右に前記溝１ａに係合可能な爪部２ａを備えてなるクリップ２とを備え、隣り合って配される板状仕上げ材１、１における右側に位置される板状仕上げ材１の左側の前記溝１ａに一つのクリップ２の右側の爪部２ａを係合させ、且つ、左側に位置される板状仕上げ材１の右側の前記溝１ａに前記一つのクリップ２の左側の爪部２ａを係合させると共に、一部の板状仕上げ材１においてはこれを保持するクリップ２の爪部２ａと前記下地５との間にクリップ２の弾性変形を許容する隙間Ｓを作るようにして、前記下地５に対し複数の板状仕上げ材１を張り込ませてなる。【選択図】図３
2016003503.tif 000002
【特許請求の範囲】
【請求項１】
裏面に長さ方向に沿った溝を幅方向の中央位置を挟んだ左右両側にそれぞれ備えてなる板状仕上げ材と、
スペーサーを介在させて下地側に止着されると共に左右にそれぞれ前記溝に係合可能な爪部を備えてなるクリップとを備え、
隣り合って配される二枚の板状仕上げ材における右側に位置される板状仕上げ材の左側の前記溝に一つのクリップの右側の爪部を係合させ、且つ、左側に位置される板状仕上げ材の右側の前記溝に前記一つのクリップの左側の爪部を係合させて、各板状仕上げ材をそれぞれ保持するようになっていると共に、
一部の板状仕上げ材においてはこれを保持するクリップの爪部と前記下地との間に前記スペーサを介在させずにクリップの弾性変形を許容する隙間を作るようにして、前記下地に対し複数の板状仕上げ材を張り込ませてなる、板状仕上げ材の張り込み構造。
【請求項２】
前記板状仕上げ材の溝は、その溝底に向かうに連れて前記中央位置から離れる傾斜を持っていると共に、
前記クリップの爪部は、その爪先に向かうに連れてこのクリップの左右方向の中央位置に近づく傾斜を持っている、請求項１に記載の板状仕上げ材の張り込み構造。
【請求項３】
前記クリップは、左右両側をそれぞれ屈曲されてこの屈曲位置より先を前記爪部とした金属板よりなるクリップ本体と、このクリップ本体における左右の前記屈曲位置間に亘る長さを備えた座板よりなる、請求項１又は請求項２に記載の板状仕上げ材の張り込み構造。
【請求項４】
前記クリップは、隣り合って配される二枚の板状仕上げ材の一方を取り外したときに、他方の板状仕上げ材の側縁部よりも外方で前記取り外しにより生じた空間内に位置される箇所において軸状止着体をもって下地側に止着されている、請求項１〜請求項３のいずれか１項に記載の板状仕上げ材の張り込み構造。
【請求項５】
各板状仕上げ材はそれぞれ、
その長さ方向に亘る左右の厚さ側の面の一方に、表面に連なる庇状突条を有すると共に、
前記左右の厚さ側の面の他方に、隣り合う板状仕上げ材の前記庇状突条下に納まる実状突条を有する、請求項１〜請求項４のいずれか１項に記載の板状仕上げ材の張り込み構造。
【請求項６】
前記スペーサーは、前記板状仕上げ材の幅寸法と実質的に等しい長さの第一スペーサーと、この第一スペーサーよりも長さを短くする第二スペーサーとからなる、請求項１〜請求項５のいずれか１項に記載の板状仕上げ材の張り込み構造。
【発明の詳細な説明】
【技術分野】
【０００１】
この発明は、建築材料としての板状仕上げ材を、下地側に対し、全体ないしは部分的な張り替えを容易に行える態様で、張り込み可能とする構造に関する。
【背景技術】
【０００２】
床材の裏面に面状ファスナーの一方を貼着させると共に、下地側に面状ファスナーの他方を固着させたパネルを止着させ、両面状ファスナーの係合によって床材の張り込みをなすようにしたものがある（特許文献１参照）。
【０００３】
しかるに、この特許文献１の構造は、張り込み後に床材に反りや伸縮などが生じた場合、床材の浮きなどを生じさせ易いものである。また、この特許文献１の構造は、床材側に前記面状ファスナーを貼着させる必要を生じさせると共に、張り込んだ床材の張り替えを容易化するものではない。
【０００４】
また、下地側に固定される掛止具に突設された掛止部に掛止される凹状受け具を床材の裏面に形成させ、かかる掛止によって床材の張り込みをなすようにしたものがある（特許文献２参照）。
【０００５】
しかるに、この特許文献２の構造も、張り込み後に床材に反りや伸縮などが生じた場合、床材の浮きなどを生じさせ易いものである。また、この特許文献２の構造も、床材側に前記凹状受け具を形成させる必要を生じさせると共に、張り込んだ床材の張り替えを容易化するものではない。
【０００６】
また、床材の裏面に設けたマグネットを、下地側に設けた金属板に吸着させることで、床材の張り込みをなすようにしたものがある（特許文献３参照）。
【０００７】
しかるに、この特許文献３の構造も、張り込み後に床材に反りや伸縮などが生じた場合の床材の浮きなどを抑止させ難いものである。また、この特許文献３の構造も、床材側に前記マグネットを取り付ける必要を生じさせるものである。
【先行技術文献】
【特許文献】
【０００８】
【特許文献１】特開平７−５４４７０号公報
【特許文献２】特開平１１−９３３８９号公報
【特許文献３】特開平１１−１７２８９５号公報
【発明の概要】
【発明が解決しようとする課題】
【０００９】
この発明が解決しようとする主たる問題点は、建築材料としての板状仕上げ材を、下地側に対し、第一に適切に、第二に板状仕上げ材側への格別な造作を不要とした態様で、第三に全体ないしは部分的な張り替えを容易に行える態様で、張り込み可能とする点にある。
【課題を解決するための手段】
【００１０】
前記課題を達成するために、この発明にあっては、板状仕上げ材の張り込み構造を、裏面に長さ方向に沿った溝を幅方向の中央位置を挟んだ左右両側にそれぞれ備えてなる板状仕上げ材と、
スペーサーを介在させて下地側に止着されると共に左右にそれぞれ前記溝に係合可能な爪部を備えてなるクリップとを備え、
隣り合って配される二枚の板状仕上げ材における右側に位置される板状仕上げ材の左側の前記溝に一つのクリップの右側の爪部を係合させ、且つ、左側に位置される板状仕上げ材の右側の前記溝に前記一つのクリップの左側の爪部を係合させて、各板状仕上げ材をそれぞれ保持するようになっていると共に、
一部の板状仕上げ材においてはこれを保持するクリップの爪部と前記下地との間に前記スペーサを介在させずにクリップの弾性変形を許容する隙間を作るようにして、前記下地に対し複数の板状仕上げ材を張り込ませてなる、ものとした。
【００１１】
かかる構成によれば、前記クリップを介して各板状仕上げ材を、適切に張り込むことが可能となる。すなわち、前記溝への前記爪部の係合によって各板状仕上げ材は下地側に安定的に固定される。また、張り込み後に板状仕上げ材に反りや伸縮が生じた場合であっても前記クリップの弾性変形によって前記係合が解かれないようにして各板状仕上げ材の張り込み状態を維持することが可能とされる。また、前記板状仕上げ材側には前記溝を形成しておくだけで足り、各板状仕上げ材を、この板状仕上げ材側への格別な造作を不要とした態様で、張り込むことが可能となる。また、前記隙間を利用して前記一部の板状仕上げ材とクリップとの係合を解いてこの一部の板状仕上げ材を取り外すことが可能とされ、複数の板状仕上げ材を下地側に対し、全体ないしは部分的な張り替えを容易に行える態様で、張り込み可能とする。
【００１２】
前記板状仕上げ材の溝は、その溝底に向かうに連れて前記中央位置から離れる傾斜を持っていると共に、前記クリップの爪部は、その爪先に向かうに連れてこのクリップの左右方向の中央位置に近づく傾斜を持っている、ようにすることが、この発明の好ましい態様の一つとされる。
【００１３】
また、前記クリップは、左右両側をそれぞれ屈曲されてこの屈曲位置より先を前記爪部とした金属板よりなるクリップ本体と、このクリップ本体における左右の前記屈曲位置間に亘る長さを備えた座板よりなる、ものとすることが、この発明の好ましい態様の一つとされる。
【００１４】
また、前記クリップは、隣り合って配される二枚の板状仕上げ材の一方を取り外したときに、他方の板状仕上げ材の側縁部よりも外方で前記取り外しにより生じた空間内に位置される箇所において軸状止着体をもって下地側に止着されている、ものとすることが、この発明の好ましい態様の一つとされる。
【００１５】
また、各板状仕上げ材はそれぞれ、その長さ方向に亘る左右の厚さ側の面の一方に、表面に連なる庇状突条を有すると共に、前記左右の厚さ側の面の他方に、隣り合う板状仕上げ材の前記庇状突条下に納まる実状突条を有する、ものとすることが、この発明の好ましい態様の一つとされる。
【００１６】
また、前記スペーサーは、前記板状仕上げ材の幅寸法と実質的に等しい長さの第一スペーサーと、この第一スペーサーよりも長さを短くする第二スペーサーとからなる、ものとすることが、この発明の好ましい態様の一つとされる。
【発明の効果】
【００１７】
この発明によれば、建築材料としての板状仕上げ材を、下地側に対し、第一に適切に、第二に板状仕上げ材側への格別な造作を不要とした態様で、第三に全体ないしは部分的な張り替えを容易に行える態様で、張り込むことが可能となる。
【図面の簡単な説明】
【００１８】
【図１】図１は、この発明の一実施の形態にかかる張り込み構造を構成する各部材の斜視図である。
【図２】図２は、前記張り込み構造を構成するクリップの側面図である。
【図３】図３は、前記張り込み構造を適用して同図に表される下地側の全体に板状仕上げ材を張り込む各過程を段階的に示した断面図であり、同図（ａ）、同図（ｂ）、同図（ｃ）、同図（ｄ）の順で進行し、同図（ｄ）が張り込みが完了した状態を示している。
【図４】図４は、図３（ａ）を拡大して示した断面図である。
【図５】図５は、図３（ｂ）を拡大して示した断面図である。
【図６】図６は、図３（ｃ）を拡大して示した断面図である。
【図７】図７は、図３（ｄ）を拡大して示した断面図である。
【図８】図８は、図７の右から二枚目の板状仕上げ材の取り外しを開始した状態を示した断面図である。
【図９】図９は、図７の右から二枚目の板状仕上げ材の取り外しを完了した状態を示した断面図である。
【発明を実施するための形態】
【００１９】
以下、図１〜図９に基づいて、この発明の典型的な実施の形態について、説明する。この実施の形態にかかる板状仕上げ材１の張り込み構造は、建築材料としての長尺の板状仕上げ材１を、下地５側に対し、第一に適切に、第二に板状仕上げ材１側への格別な造作を不要とした態様で、第三に全体ないしは部分的な張り替えを容易に行える態様で、張り込み可能とするものである。
【００２０】
前記板状仕上げ材１は、床仕上げ材、壁仕上げ材、天井仕上げ材などの内装に用いられるもの、及び、外壁仕上げ材、ウッドデッキやバルコニーの床部の仕上げ材などの外装に用いられるもの、を含む概念である。
【００２１】
また、前記板状仕上げ材１は、木質材、プラスチック、アルミニウムなど、前記内装や外装に用いられる公知の各種の材料により構成される。
【００２２】
また、前記板状仕上げ材１は、通常は図示のように下地材５’を介在させて張り込まれるが、躯体に直接張り込まれる場合もある。
【００２３】
この実施の形態にかかる張り込み構造は、複数の板状仕上げ材１、１…と、複数のクリップ２、２…と、複数のスペーサー３、３…とを含む。
【００２４】
前記板状仕上げ材１は、裏面１’に長さ方向ｙに沿った溝１ａを幅方向ｘの中央位置１ｂ（図１）を挟んだ左右両側にそれぞれ備えてなる。かかる溝１ａは、板状仕上げ材１の全長に亘って設けられている場合と、必要な範囲に亘って設けられている場合とがある。
【００２５】
図示の例では、前記板状仕上げ材１の溝１ａは、その溝底に向かうに連れて前記中央位置１ｂから離れる傾斜を持っている。
【００２６】
また、図示の例では、各板状仕上げ材１はそれぞれ、その長さ方向ｙに亘る左右の厚さ側の面１ｃ、１ｃの一方に、表面１”に連なる庇状突条１ｄを有すると共に、前記左右の厚さ側の面１ｃ、１ｃの他方に、隣り合う板状仕上げ材１の前記庇状突条１ｄ下に納まる実状突条１ｅを有している。
【００２７】
次に、前記クリップ２は、前記スペーサー３を介在させて下地５側に止着されると共に左右にそれぞれ前記溝１ａに係合可能な爪部２ａを備えてなる。
【００２８】
図示の例では、かかるクリップ２は、左右に長く、その長さ方向ｙ’を前記板状仕上げ材１の長さ方向ｙに直交させる向きで、下地５側に止着されるようになっている。
【００２９】
また、図示の例では、前記クリップ２の爪部２ａは、その爪先２ｂに向かうに連れてこのクリップ２の左右方向、すなわち、前記長さ方向ｙ’の中央位置２ｄに近づく傾斜を持っている。
【００３０】
また、図示の例では、前記クリップ２は、左右両側をそれぞれ屈曲されてこの屈曲位置２ｆより先を前記爪部２ａとした金属板よりなるクリップ本体２ｅと、このクリップ本体２ｅにおける左右の前記屈曲位置２ｆ間に亘る長さを備えた座板２ｇよりなる。座板２ｇは、図示の例では、前記クリップ本体２ｅを構成する金属板よりも厚い金属板から構成されている。これにより、図示の例では、前記クリップ２は、前記屈曲位置２ｆを支点として爪部２ａのみを弾性変形可能とするようになっている。
【００３１】
また、前記クリップ２は、隣り合って配される二枚の板状仕上げ材１、１の一方を取り外したときに、他方の板状仕上げ材１の側縁部よりも外方で前記取り外しにより生じた空間Ｖ内に位置される箇所において軸状止着体４をもって下地５側に止着されるようになっている。図示の例では、前記クリップ２は、ビスにより下地５側に止着されるようになっている。図示の例では、前記クリップ２は、その長さ方向の中央位置２ｄよりも右側にやや偏った位置において、前記クリップ本体２ｅ及び座板２ｇにビスの通し穴２ｈを有しており、この通し穴２ｈを使って下地５側に止着されるようになっている。
【００３２】
図示の例では、前記クリップ本体２ｅの爪部２ａは、前記屈曲位置２ｆにおける屈曲内側の角度ｄを約４０度としている。また、かかる爪部２ａは、その爪先２ｂ側に爪先側屈曲箇所２ｃを有しており、爪先２ｂはクリップ本体２ｅの爪部２ａ間に位置される箇所に対し直角に交わり、かつ、前記爪先側屈曲箇所２ｃを通る仮想の直線ｚの外側にあって、この仮想の直線ｚとの間に約１０度の角度を作るように形成されている（図２）。
【００３３】
前記スペーサー３は、図示の例では、前記クリップ２の幅寸法と略等しい幅寸法を持った板片となっている。かかるスペーサー３は、典型的には、木質材やプラスチックなどから構成される。かかるスペーサー３は、クリップ２と下地５側との間に挟まれた状態で、クリップ２と一緒に前記軸状止着体４によって下地５側に止着されるようになっている。
【００３４】
また、図示の例では、前記スペーサー３は、前記板状仕上げ材１の幅寸法と実質的に等しい長さの第一スペーサー３’と、この第一スペーサー３’よりも長さを短くする第二スペーサー３”とから構成されている。図示の例では、第一スペーサー３’は前記板状仕上げ材１の幅寸法と略等しい長さを持ったものとなっている。また、第二スペーサー３”は第一スペーサー３’の長さの約半分の長さを持ったものとなっている。
【００３５】
そして、この実施の形態にかかる張り込み構造は、隣り合って配される二枚の板状仕上げ材１、１における右側に位置される板状仕上げ材１の左側の前記溝１ａに一つのクリップ２の右側の爪部２ａを係合させ、且つ、左側に位置される板状仕上げ材１の右側の前記溝１ａに前記一つのクリップ２の左側の爪部２ａを係合させて、各板状仕上げ材１をそれぞれ保持するようになっている。すなわち、一つのクリップ２は、同時に二枚の板状仕上げ材１、１を保持するようになっている（図３）。
【００３６】
かかるクリップ２は、典型的には、前記板状仕上げ材１の長さ方向において間隔を開けて、複数個下地５側に固定される。
【００３７】
図示の例では、先行して張り込まれた板状仕上げ材１の実状突条１ｅ上に後続して張り込まれる板状仕上げ材１の庇状突条１ｄが位置されるようにしながら、先行して張り込まれた板状仕上げ材１の右側の側縁部よりも右側に位置されるクリップ２の右側の爪部２ａを後続して張り込まれる板状仕上げ材１の左側の溝１ａに受入させる（図３（ｂ）、図５）。次いで、後続して張り込まれる板状仕上げ材１の裏面と下地５側との間にスペーサー３と新たなクリップ２の左側を入れ込み、このクリップ２の左側の爪部２ａを後続して張り込まれる板状仕上げ材１の右側の溝１ａに受入させる（図３（ｃ）、図６）。
【００３８】
これにより、この実施の形態にあっては、前記クリップ２を介して各板状仕上げ材１を、適切に張り込むことが可能となっている。すなわち、前記溝１ａへの前記爪部２ａの係合によって各板状仕上げ材１は下地５側に安定的に固定される。また、張り込み後に板状仕上げ材１に反りや伸縮が生じた場合であっても前記クリップ２の弾性変形によって前記係合が解かれないようにして各板状仕上げ材１の張り込み状態を維持することが可能とされる。
【００３９】
また、前記板状仕上げ材１側には前記溝１ａを形成しておくだけで足り、各板状仕上げ材１を、この板状仕上げ材１側への格別な造作を不要とした態様で、張り込むことが可能となっている。
【００４０】
それと共に、一部の板状仕上げ材１においてはこれを保持するクリップ２の爪部２ａと前記下地を構成する下地５との間に前記スペーサー３を介在させずにクリップ２の弾性変形を許容する隙間Ｓを作るようにして、前記下地５に対し複数の板状仕上げ材１、１…を張り込ませている。
【００４１】
図示の例では、図３（ｄ）における右から二番目の板状仕上げ材１の右側の溝１ａに対するクリップ２を第二スペーサー３”を介して下地５側に止着させることで、この右から二番目の板状仕上げ材１を保持するクリップ２の爪部２ａと前記下地との間に前記隙間Ｓを形成するようにしている（図７）。そして、この右から二番目の板状仕上げ材１の庇状突条１ｄ側に工具などを用いて下地５側から引きはがす向きの力を作用させると、この右から二番目の板状仕上げ材１は最も右側に位置される板状仕上げ材１の庇状突条１ｄに押さえ込まれている実状突条１ｅを支点として、前記クリップ２の爪部２ａを弾性変形させながら斜めに浮き上がり、これによりこの二番目の板状仕上げ材１を取り外すことができるようになっている（図８）。かかる二番目の板状仕上げ材１を取り外すと、この二番目の板状仕上げ材１の左側を保持していたクリップ２を止着する軸状止着体４が前記取り外しによって生じた空間Ｖ内に露呈されることから、この軸状止着体４による前記クリップ２の止着状態の解除が可能となる。この解除状態から前記クリップ２を図９における左側にスライド移動させると共に、図９における左から二番目の板状仕上げ材１の右側をやや浮き上がらせることで、この左から二番目の板状仕上げ材１と前記クリップ２との係合を解き、この左から二番目の板状仕上げ材１の下から前記クリップ２及び第一スペーサー３’を取り出すことが可能となる。このように第一スペーサー３’を取り出すと、前記左から二番目の板状仕上げ材１の左側を保持していたクリップ２の爪部２ａ下に前記隙間Ｓが形成されることから、このクリップ２と前記左から二番目の板状仕上げ材１との係合もこの左から二番目の板状仕上げ材１を下地５側から引きはがす向きの力を作用させることで解くことができる。以上の手順を繰り返すことで、張り込まれた板状仕上げ材１を必要な範囲で取り外すことが可能となる。
【００４２】
これにより、この実施の形態にあっては、複数の板状仕上げ材１、１…を下地５側に対し、全体ないしは部分的な張り替えを容易に行える態様で、張り込み可能とする。
【００４３】
なお、当然のことながら、本発明は以上に説明した実施態様に限定されるものではなく、本発明の目的を達成し得るすべての実施態様を含むものである。
【符号の説明】
【００４４】
１  板状仕上げ材
１’  裏面
１ａ  溝
ｙ  長さ方向
２  クリップ
２ａ  爪部
３  スペーサー
５  下地
Ｓ  隙間
【図１】
2016003503.tif 000003
【図２】
2016003503.tif 000004
【図３】
2016003503.tif 000005
【図４】
2016003503.tif 000006
【図５】
2016003503.tif 000007
【図６】
2016003503.tif 000008
【図７】
2016003503.tif 000009
【図８】
2016003503.tif 000010
【図９】
2016003503.tif 000011